(57)【要約】【課題】中小企業で発生する請求書や販促ダイレクトメールの作成に求められる高速生産性、機密性、封書耐候性を全て満たす封書自動作成システムを提供することを目的とする。【解決手段】印刷部がインクジェット方式で、封筒及び内容物に油性インクを吐出することで画像を形成する構成であり、封書自動作成システム全体の処理能力が、請求書など片面印刷の場合には１，５００通／時間以上で、販売促進用ダイレクトメールなど両面印刷の場合には６２５通／時間以上を備えていることを特徴とする封書自動作成システム。【選択図】  図１
2013209175.tif 000002
【特許請求の範囲】
【請求項１】
封筒および内容物に印刷を施し、前記封筒に前記内容物を封入封緘して封書を作成する封書自動作成システムであって、
宛先情報と本文情報を保存するデータ保存部と、
前記宛先情報から前記封筒へ印刷する封筒原稿データを作成し、前記本文情報から前記内容物へ印刷する本文原稿データを作成する原稿データ作成部と、
前記封筒原稿データ及び前記本文原稿データに基づき、前記封筒及び前記内容物にそれぞれ印刷を施す印刷部と、
前記印刷部で印刷された前記封筒を搬送する第１の搬送経路と、前記印刷部で印刷された前記内容物を搬送する第２の搬送経路と、前記第１の経路と前記第２の経路が合流する位置に配置され、前記封筒に前記内容物を封入した後に封緘する封入封緘部とを備え、
前記印刷部はインクジェット方式で前記封筒及び前記内容物に油性インクを吐出することで画像を形成するものであり、
システム全体の処理能力は、請求書など片面印刷の場合には１，５００通／時間以上で、販売促進用ダイレクトメールなど両面印刷の場合には６２５通／時間以上を備えていることを特徴とする封書自動作成システム。
【請求項２】
請求項１記載の封書自動作成システムであって、
システム全体の前記処理能力は、より好ましくは片面印刷の場合において２，５００通／時間以上を備えていることを特徴とする封書自動作成システム。
【発明の詳細な説明】
【技術分野】
【０００１】
本発明は、高速生産性、機密性及び耐候性を備えた封書自動作成システムに関する。
【背景技術】
【０００２】
従来より、ＷＥＢ上で封書物の作成を受注する印刷作成代行サービスが事業展開されている。発注者は封書物のデザイン作成、印刷、封入封緘といった特殊技能と専用装置を習得／所有すること無く、手軽に封書物を発注・発送できる事から広く利用されている。このような印刷作成代行サービスを提供するための設備装置として、一般的に、オフセット印刷機、デジタル印刷機＝ＰＯＤ、大型封入封緘装置などが提案されている。
【０００３】
上述のような印刷作成代行サービスでは、大量の受注に対応すべく、オフセット印刷機やデジタル印刷機、封入封緘装置など大型で高価な設備を導入する傾向にあった。また、原稿作成のデザイナーや印刷機／封入封緘装置の操作オペレータ、工程管理者などを常駐させる必要があった。従ってこれらの投資の回収採算性を考慮し、受注ロット数は１０万通〜１００万通といった大口に限定される場合が多い。
【０００４】
また、例えば、商店主が近隣住民に発送するバーゲンセールを知らせるチラシ封書、同窓会の開催を知らせる案内封書などの封書物は、発注頻度が低く作成数も少ない為、手軽に頼める商店街のプリントショップ等に依頼する事が多い。この場合の受注ロット数は１０通〜１０００通が中心で、パソコンプリンタや複写機で印刷した内容物を人手で封筒に封入する形態が多い。そこで特許文献１では、卓上の封入封緘機が提案されている。この封入封緘機では自動で封入封緘処理を行うことができるものである。
【先行技術文献】
【特許文献】
【０００５】
【特許文献１】特開平７−５２５９６号公報
【発明の概要】
【発明が解決しようとする課題】
【０００６】
しかしながら、中小企業が取引先へ月末の請求書を発送する場合や顧客へ販促ダイレクトメールを発送する場合、一般的な中小企業の取引先が５００〜３０００社、顧客数が１０００〜２０，０００カ所と想定して、５００通〜２万通の封書物を作成する必要がある。この規模の封書作成を発注する場合、大型設備を備えた前記印刷作成代行サービスでは、ロット数が少ない為にオフセット印刷機の刷版製作や大型封入封緘装置の起動準備などに手間と費用が掛かり、ランニングコストが割高になってしまう。また、設備の稼働率を高める為に綿密な生産計画を組んでいる前記印刷作成代行サービス業者では急な発注に対応する体制が用意されていない。
【０００７】
また、特許文献１の封入封緘機では、自動で封入封緘処理を行うことができるものの、各給紙部や封筒送給部は収容量が少なく、それぞれ内容物となるシートや封筒を頻繁に補給する手間があり、５００通〜２万通の封書物を作成しようとすると、発注ロットが多過ぎて納期の厳守が困難となることが予想される。
【０００８】
さらに、内容物の印刷内容が封筒毎に異なる１ｔｏ１ダイレクトメールを作成するために、その用紙給紙台にセットする内容物の積載順序と、その封筒給紙台にセットする封筒の積載順序を一致させる必要があった。しかし、封筒の印刷は自社で行なうが、内容物の印刷は外注した場合のように、異なる場所で異なる手段により印刷された内容物と封筒では、その出力順序に違いがあったり、間紙の混入の有無に違いがある等、条件の相違が発生しうるため、卓上封入封緘機の給紙台にセットする際には誤封入防止のために十分な確認が必要であった。
【０００９】
このように、中小企業で発生する請求書や販促ダイレクトメールの作成に適したシステムが存在していなかった。また、中小企業で発生する請求書や販促ダイレクトメールの作成を請け負うサービスも存在していなかった。
【００１０】
そこで、中小企業で発生する請求書や販促ダイレクトメールの作成に求められる要求課題を満たすシステムを提供する必要がある。ここで言う要求課題とは、下記３項目が挙げられる。
【００１１】
まず、１点目は、高速生産性である。中小企業の請求書を作成発送する場合、締め日の定時後にデータ印刷出力を開始し封入封緘をおこない、完成した封書物を同日の発送便に間に合わせる様に郵送事業者へ持ち込む必要がある。これは請求書の到着を取引先の会計処理に間に合わせるためで、その為に３０００社の取引先へ発送する封書物を定時の午後５時から郵便事業者が封書物受付を終了する午後７時までの２時間で印刷から封入封緘までを完了させる必要がある。取引先が５０００社の場合でも２時間で印刷から封入封緘までを完了させることが出来れば更に良い。
また、販促ダイレクトメールを作成発送する場合、顧客リストから購入頻度の高いお客様を選び、新製品やお客様の嗜好にあった商品、季節や気候にあった商品を盛り込んだチラシを印刷出力し封入封緘をおこない、完成した封書物を同日の発送便に間に合わせる様に郵送事業者へ持ち込むことが求められる。これはインターネット通販やテレフォンショッピングなどの即時性メディアの普及で、情報を一刻も早く顧客に届けることが販促ダイレクトメールにも要求されているからである。その為に顧客リストから選定した５，０００カ所のお客様へ発送する封書物を、８時間の業務時間中に印刷から封入封緘までを完了させる必要がある。選定したお客様が８，０００カ所であっても８時間の業務時間中に印刷から封入封緘までを完了させることが出来れば更に良い。
【００１２】
次に、２点目は、機密性である。中小企業の請求書を作成発送する場合、顧客情報の管理が重要となる。宛名データや本文データおよび印刷済み用紙が絶対に外部漏洩しないシステムである必要がある。また、封筒と内容物の不一致で請求書が異なる顧客に発送されてしまう誤封入を防止する必要がある。
【００１３】
最後に、３点目は、封書耐候性である。郵便事業者による封書物が配送される過程で雨や外部影響を受ける可能性があり、この場合に宛名や印刷画像が滲んだり変色して配達先が不明確になったり、受け取り手が不愉快な気分になることがある。封書物の印刷が耐水性を備えている必要がある。
【００１４】
このような中小企業で発生する請求書や販促ダイレクトメールの作成に求められる要求課題に鑑み、本発明は３つの要求課題を全て満たす封書自動作成システムを提供することを目的とする。
【課題を解決するための手段】
【００１５】
封筒および内容物に印刷を施し、前記封筒に前記内容物を封入封緘して封書を作成する封書自動作成システムであって、
宛先情報と本文情報を保存するデータ保存部と、
前記宛先情報から前記封筒へ印刷する封筒原稿データを作成し、前記本文情報から前記内容物へ印刷する本文原稿データを作成する原稿データ作成部と、
前記封筒原稿データ及び前記本文原稿データに基づき、前記封筒及び前記内容物にそれぞれ印刷を施す印刷部と、
前記印刷部で印刷された前記封筒を搬送する第１の搬送経路と、前記印刷部で印刷された前記内容物を搬送する第２の搬送経路と、前記第１の経路と前記第２の経路が合流する位置に配置され、前記封筒に前記内容物を封入した後に封緘する封入封緘部とを備え、
前記印刷部はインクジェット方式で前記封筒及び前記内容物に油性インクを吐出することで画像を形成するものであり、
システム全体の処理能力は、請求書など片面印刷の場合には１，５００通／時間以上で、販売促進用ダイレクトメールなど両面印刷の場合には６２５通／時間以上を備えていることを特徴とする封書自動作成システム。
【００１６】
請求項１記載の封書自動作成システムであって、
前記システム全体の処理能力は、より好ましくは片面印刷の場合において２，５００通／時間以上を備えていることを特徴とする封書自動作成システム。
【発明の効果】
【００１７】
本発明の第一の封書自動作成システムによれば、封筒と内容物に印刷を施す共通の印刷部が、封筒又は封筒となるべき用紙と、これに対応する内容物となる用紙とを、作成すべき封書ごとに交互に印刷して排出する。そして、印刷された封筒又は封筒となるべき用紙を専用の第１の搬送経路で搬送し、印刷された内容物になる用紙を専用の第２の搬送経路で搬送し、両搬送経路の終端が交差する位置に設けられた封入封緘手段において、封筒又は封筒となるべき用紙と内容物となる用紙とをミスなく組み合わせて封入封緘し、封書を作成することができる。従って、内容物が封筒毎に異なる１ｔｏ１ダイレクトメールの作成等に適しており、封筒及び内容物の印刷から封入封緘までを全自動でミスなく確実に実行することができるので、機密性を実現している。また、印刷部がインクジェット方式で油性インクを吐出することで画像形成を行うので、宛名や印刷画像が滲むことなく、封書耐候性を実現している。さらにシステム全体の処理能力は、請求書など片面印刷の場合には１，５００通／時間以上で、販売促進用ダイレクトメールなど両面印刷の場合には６２５通／時間以上を備えているので、高速生産性を実現している。
【００１８】
本発明の第二の封書自動作成システムによれば、システム全体の処理能力が片面印刷の場合において２，５００通／時間以上であるので、より高速生産性を実現している。
【図面の簡単な説明】
【００１９】
【図１】第１実施形態における封書自動作成システムの概略構成図
【図２】第１実施形態に係る封書作成装置の構造と、同装置における封筒の流れを矢印で示した模式的断面図である。
【図３】第１実施形態に係る封書作成装置の構造と、同装置における内容物の流れを矢印で示した模式的断面図である。
【図４】第１実施形態に係る封書作成装置において、内容物の折り作業を行う折り手段を示す正面図である。
【図５】第１実施形態に係る封書作成装置において、内容物の折り作業を行う折り手段の変形例を示す正面図である。
【図６】第１実施形態に係る封書作成装置において、折り手段で内容物を内三つ折りにする場合の工程図である。
【図７】第１実施形態に係る封書作成装置において、折り手段で内容物を内三つ折りにする場合の工程図である。
【図８】第１実施形態に係る封書作成装置において、（ａ）は折り手段で内容物を外三つ折りにする場合を示す図、（ｂ）は折り手段で内容物を四つ折りにする場合を示す図である。
【図９】第１実施形態に係る封書作成装置において、封入封緘部で行なわれる内容物の封筒への封入工程を示す工程図である。
【図１０】第１実施形態に係る封書作成装置において、封入封緘部で行なわれる内容物の封筒への封入工程を示す工程図である。
【図１１】第１実施形態に係る封書作成装置において、封入封緘部で行なわれる封筒の封緘工程を示す工程図である。
【図１２】第１実施形態に係る封書作成装置の構造と、同装置における封緘作業と封緘後の封筒の排出工程を示した模式的断面図である。
【図１３】第２実施形態に係る封書作成装置の構造と、同装置における封筒作成の流れを矢印で示した模式的断面図である。
【図１４】第２実施形態に係る封書作成装置の構造と、同装置における内容物の流れを矢印で示した模式的断面図である。
【発明を実施するための形態】
【００２０】
以下の実施形態では、第１実施形態として既成の封筒を使用する場合を示し、第２実施形態として用紙を折って封筒を作成し、これを使用する場合を示す。第１実施形態では、封筒の本体とフラップの折り目は、フラップが開閉する際の中心となる部分であり、図中では便宜的に黒丸（図２、図３）又は白丸（図９〜１１）で示した。なお、いずれの実施形態の説明においても、説明に対応するように図中には矢印を以て用紙等の移動経路を示した。
【００２１】
１．第１実施形態（図１〜図１２）
図１は、第１実施形態の封書自動作成システム１００を示した概略構成図である。
【００２２】
請求書や販促ダイレクトメール等の封書物を発注する中小企業と、封書物の作成を請け負うサービス業者は、受託に関する契約締結情報および封書物の作成に必要なデータ類の伝送をネットワーク経由でおこなう。両社間で封書物の作成に関する受託契約が締結すると、封書物発注者はサーバに保存している封筒へ印刷する宛先データや社名、ロゴ等の封筒デザインデータ、内容物へ印刷する本文データや商品やイラストなどの本文デザインデータをネットワーク経由でサービス業者のＰＣに伝送する。
【００２３】
封書自動作成システム１００を利用するサービス業者は受信した顧客データ（宛先情報１３０及び本文情報１４０）をセキュリティ体制の整ったサーバ１２０に保存する。サービス業者のＰＣにはサーバに保存した顧客データ（宛先情報１３０及び本文情報１４０）を一元的に管理するアプリケーションソフトが実装されており、このアプリケーションソフトが、原稿データ作成部１１０となっており、サーバ１２０に保存された宛先情報１３０と本文情報１４０から、封書物毎に封筒へ印刷する封筒原稿データ１５０や内容物へ印刷する本文原稿データ１６０の作成編集を行う。
【００２４】
作成された封筒原稿データ１５０及び本文原稿データ１６０は、オペレータの封書自動作成指示により、封書作成装置１に送られる。封書作成装置１では、封筒原稿データ１５０及び本文原稿データ１６０に基づき、それぞれ封筒及び本文に必要な印刷を施すことになる。なお、作成された封筒原稿データ１５０及び本文原稿データ１６０は、一時的にサーバ１２０に保存しても良い。
【００２５】
また、アプリケーションソフト（原稿データ作成部１１０）はオペレータの編集操作に従い、サーバ１２０から顧客データ（宛先情報１３０及び本文情報１４０）を読み込むので、オペレータがサーバ１２０の顧客データに直接アクセスしてデータを取得または閲覧およびコピーする機能は備えていないため、顧客データの外部漏洩を防止できる。
【００２６】
図２に示す第１実施形態の封書作成装置１は、作成すべき封書ごとに、すでに袋状に成形されている封筒（例えば既製品の封筒等）と、内容物となる０枚以上の用紙とに、共通の印刷部２により適当な順序で必要な印刷を施し、それぞれ別系統の搬送経路で搬送しながら、内容物が存在する場合には当該搬送経路で必要な折りを施し、最終的に両者を封入封緘手段で合流させ、内容物を封筒に封入・封緘して装置の上部に揃えて排出する。
【００２７】
図２及び図３に示すように、この封書作成装置１は、封筒及び内容物となる用紙を印刷して排出する印刷部２を備えている。この印刷部２は、装置の各部を収納する筐体４の内部又は側面等に、複数種類の被印刷体（枚葉状の用紙や封筒）を収納可能な複数の給紙台Ｐ（Ｐ１〜Ｐ４）を備えている。本例では、筐体の側面に取り付けられた給紙台Ｐ１に封筒が収納され、筐体の内部に設けられた給紙台Ｐ２〜Ｐ４に内容物となる枚葉状の用紙が収納されている。
【００２８】
これら給紙台Ｐから出た用紙等は、導入路からループ状の搬送路５に送り込まれて搬送され、搬送路の下半部に沿って下向きに所定間隔で配置された印刷手段によって画像が形成される。本例では、印刷手段として、シアン、ブラック、マゼンタ、イエローの各色のインクをそれぞれ吐出する４つのインクジェット装置Ｃ、Ｋ、Ｍ、Ｙが配置されている。
【００２９】
このループ状の搬送路５には、印刷手段の下流の隣部に、ほぼ水平な方向で用紙をループ外に排出する第１の排出路６が分岐して設けられている。また、ループ状の搬送路５の上半部には、用紙をループ外に排出する第２の排出路７が分岐して設けられている。さらに、第２の排出路７と給紙台Ｐからの導入路との間にはスイッチバック路８が分岐して設けられている。このスイッチバック路８は、搬送路５を搬送されてきた用紙を受け入れた後に逆行させて搬送路５に戻すことにより、搬送路５中における用紙の上下を反転させる手段である。このスイッチバック路８を用い、用紙の上下面を逆転させて搬送路５を２回通過させれば、インクジェット装置Ｃ、Ｋ、Ｍ、Ｙで用紙の両面にカラー画像を形成するカラー両面印刷を行なうことができる。
【００３０】
また、前記各色インクは油性成分のインクであり、封書物の配送時に雨や外部影響を受けた場合でもインクが滲んだり変色する心配が無いので、宛名やデザイン画像の欠落が防止できる。配達時に封書物の宛先が不明確になったり不在返却時の回収先が判らなくなること、受け取り手が不愉快な気分になることを防止できる。
【００３１】
印刷部２の隣部には、印刷部２の第１の排出路６から送られた封筒や用紙を受け入れて処理し、当該封筒に当該用紙を封入して封緘するための封入封緘部３が設けられている。
【００３２】
封入封緘部３の筐体９の内部には、印刷部２で印刷された封筒を搬送する第１の搬送経路１０が設けられている。この第１の搬送経路１０は、印刷部２の第１の排出路６から水平方向に送られてきた封筒を搬送方向に沿って斜め上方に送る一方の経路１１と、この経路１１と略平行な斜め姿勢で筐体９の上面に設けられ、経路１１から送られた封筒を一時的に貯留する封筒ストッカ１２と、封筒ストッカ１２から封筒を筐体９内に取り込み、斜め下方に送る他方の経路１３とを有している。なお、この他方の経路１３の終端には、封筒反転手段５０と、封入封緘手段としての封筒開封封入手段６０及び封緘手段７０が設けられているが、これらの構成及び作用は後述する。
【００３３】
封入封緘部３の筐体９の内部には、印刷部２で印刷された用紙を搬送する第２の搬送経路２０が設けられている。この第２の搬送経路２０は、第１の搬送経路１０よりも下方にあり、印刷部２の第１の排出路６から水平方向に送られた用紙を斜め下方に送る一方の経路２１を有している。
【００３４】
図４に示すように、この経路２１の中途には、用紙搬送ローラ２２と、開閉自在なゲートである整合部２３が設けられており、搬送した用紙を、経路２１を閉止した整合部２３に留めることにより、用紙を経路２１内で重ねて貯留することができるようになっている。また、この経路２１の終端には、用紙を折り畳むための折り手段が設けられている。
【００３５】
この折り手段には、回動自在な中央の主折りローラＡが設けられ、さらに、第１折りローラＢ、第２折りローラＣ及び１つの用紙搬送ローラＤが主折りローラＡにそれぞれ回動自在に接触して設けられている。さらに第１及び第２折りローラＢ，Ｃの近傍の２箇所には、折りローラＡ，Ｂ，Ｃ及び搬送ローラＤで挟持搬送された用紙の先端が突き当たる突き当て部材２４，２５が設けられており、搬送されて突き当たった用紙を撓ませて他の２つの折りローラＡ，Ｂ及びＡ，Ｃの間に用紙の撓み部を導いて２回以上の折りができるようになっている。
【００３６】
この突き当て部材２４，２５の位置は可変であり、折り長さを調節できるようになっている。また図５に示すように、突き当て部材２４，２５に替えて搬送ローラ２４ａ，２５ａを設け、この搬送ローラ２４ａ，２５ａの回転を停止することで突き当て部材２４，２５と同様の働きをさせてもよい。
【００３７】
図６〜図７を参照して折りローラＡ，Ｂ，Ｃ等による用紙の折り工程について説明する。なお、これらの図には便宜上整合部２３は示していない。
【００３８】
図６（ａ）に示すように、経路２１に沿って用紙搬送ローラ２２で送られた用紙３０は、主折りローラＡと用紙搬送ローラＤに挟持搬送される。同図（ｂ）に示すように、用紙３０は、主折りローラＡと用紙搬送ローラＤに挟持搬送されて搬送され、その先端が突き当て部材２４に突き当たる。同図（ｃ）に示すように、用紙３０は先端が突き当て部材２４に突き当たった状態でさらに搬送されるので、経路２１内で経路の形状に沿ってたるむことにより、主折りローラＡと第１折りローラＢの間に挟み込まれる。同図（ｄ）に示すように、用紙３０は、主折りローラＡと第１折りローラＢに挟み込まれ、搬送されながら二つ折りになる。
【００３９】
図７（ａ）に示すように、用紙３０は、第２の突き当て部材２５に突き当たり、さらに搬送されて経路２１内で経路の形状に沿ってたるむことにより、主折りローラＡと第２折りローラＣの間に挟み込まれる。同図（ｂ）に示すように、用紙３０は主折りローラＡと第２折りローラＣで搬送されて内三つ折りになっていき、同図（ｃ）に示すように内三つ折りが完成する。
【００４０】
なお、図８（ａ）に示すように第１の突き当て部材２４の位置を折り部から遠方に移動すれば、外三つ折りとすることができ、同図（ｂ）に示すように第１の突き当て部材２４の位置を折り部から遠方に移動するとともに、第２の突き当て部材２５の位置を折り部により近い位置に移動させれば、四つ折りとすることができる。
【００４１】
図３に示すように、封入封緘部３の筐体９の内部において、前記第２の搬送経路２０は、折り手段で折られた用紙３０を前記経路２１と略直交する斜め上方に連続して搬送する他方の経路２６を有している。この他方の経路２６は、封筒を斜め下方に送る前述した第１の搬送経路１０の他方の経路１３よりも下方の位置にあり、封筒反転手段５０と、封入封緘手段の一部を構成する封筒開封封入手段６０において第１の搬送経路１０の経路１３と合流している。
【００４２】
図２及び図９の一部に示すように、封筒反転手段５０は、用紙搬送ローラａと、これを中心に配置された用紙搬送ローラｂ及びｇと、下方及び斜め上方に延設された２つの経路２７，２８とによって構成されている。第２の搬送経路２０の他方の経路２６から送られた封筒４０は、フラップＦが下方かつ左側となる姿勢で用紙搬送ローラａ及びｇの間に入り、挟持搬送されて下方の経路２７に送られる。さらに図９（ａ）に示すように、この封筒４０は、用紙搬送ローラａ及びｂに挟持されて斜め上方の経路２８に送られ、図９（ｂ）に示すように、フラップＦが上側かつ左側となる姿勢で後述する封筒開封封入手段６０に送り込まれる。
【００４３】
封筒開封封入手段６０は、前述した用紙搬送ローラａ，ｂと、これらの用紙搬送ローラａ，ｂから斜め上方に延設された経路２８と、水平な経路２９と、水平な経路２９に沿って封筒及び用紙３０を正逆両方向に搬送する用紙搬送ローラｃと、用紙３０が封入された封筒を搬出する用紙搬送ローラｄと、封筒のフラップを開く往復揺動可能な開封爪４１とを有している。
【００４４】
図９（ａ）に示すように、封筒反転手段５０で姿勢を反転された封筒４０は、用紙搬送ローラａ、ｂによって搬入され、さらに正転する用紙搬送ローラｃによって水平な経路２９に沿って送り込まれる。同図（ｂ）に示すように、逆転する用紙搬送ローラｃと、用紙搬送ローラｄの回転により、封筒４０は所定の位置に位置決めされ、停止する。同図（ｃ）乃至（ｅ）に示すように、開封爪４１が開封位置に移動して封筒４０のフラップＦを開くとともに、第２の搬送経路２０に沿って搬送されてきた折り畳まれた１枚又は複数枚の用紙３０（用紙３０がない場合もありうる）が、用紙搬送ローラａ乃至ｃによって封筒４０内に送り込まれる。この間、封筒４０は、用紙搬送ローラｄによって位置が固定されている。
【００４５】
図１０（ａ）に示すように、折り畳まれた用紙３０は開口を広げられた封筒４０の内部に封入され、封入が完了する。同図（ｂ）に示すように、開封爪４１は待機位置戻り、同図（ｃ）乃至（ｄ）に示すように、逆転する用紙搬送ローラｃと用紙搬送ローラｄの回転により封筒４０を移動して後段に送り出す。
【００４６】
用紙搬送ローラｄから送り出された封筒４０等は、斜め上前方に向けて傾斜して配置された経路４２を通って封緘手段７０に送り込まれる。この経路４２は第２の搬送経路２０の斜め下方に向けられた他方の経路１３の上方にあり、これと略平行に配置されている。この経路４２の上方には、封緘手段７０を構成する一対の用紙搬送ローラｅ及びｆが設けられている。
【００４７】
図１１（ａ）乃至（ｃ）に示すように、経路４２に沿って送られた封筒４０は、経路４２の終端に突き当たり、フラップＦの折り目４３が折れて用紙搬送ローラｅ及びｆの間に入る。これと同時に用紙搬送ローラｅ及びｆを駆動すれば、封筒４０はフラップＦが閉じられた状態になって筐体９の上面側に送り出される。
【００４８】
図１２に示すように、筐体９の上面には、前述した封筒ストッカ１２の後方に、封筒ストッカ１２と略平行に排出ストッカ４４が設置されており、用紙３０が封入封緘された封筒４０（すなわち完成した封書４５）が順次送り出された場合、これらを受け入れることができるようになっている。これらの封書４５は、排出ストッカ４４上に整然と並んで重ねられた状態で順次斜め上方に移動していく。
【００４９】
次に、以上説明した本実施形態の封書作成装置１において、既成の封筒４０に宛て名等を印刷し、さらに複数枚の用紙３０に必要な印刷を施して折り畳み、用紙３０を封筒４０に封入封緘する全体の手順について通して説明する。
【００５０】
印刷部２では、給紙台Ｐ１から封筒４０が送り出され、ループ状の搬送路５を２周する間にインクジェット装置Ｃ、Ｋ、Ｍ、Ｙで封筒４０の両面が印刷される。両面印刷でなく、片面印刷を選択することもできる。この封筒４０は封入封緘部３に入り、第１の搬送経路１０の一方の経路１１から一旦封筒スタッカ１２に入り、さらに他方の経路１３から封筒反転手段５０に入って姿勢を反転させ、封筒開封封入手段６０に送り込まれる。図９（ａ）乃至（ｅ）に示すように、封筒４０は開封爪４１でフラップＦが開かれて開口が開いた状態で待機する。
【００５１】
封筒４０に続き、定められた一定の間隔を空けて用紙３０が給紙台Ｐ２乃至Ｐ４の何れかからループ状の搬送路５に送り込まれ、この搬送路を２周する間にインクジェット装置Ｃ、Ｋ、Ｍ、Ｙで用紙３０の両面が印刷される。両面印刷でなく、片面印刷を選択することもできる。用紙３０は必要枚数が溜まるまで第２の搬経路２０の整合部２３に貯留され、必要枚数が揃ったところで整合部２３が開いて折り手段に送り込まれる。折り手段で所望の状態に折り畳まれた用紙３０は、封筒反転手段５０を通過して封筒開封封入手段６０に送り込まれる。すなわち、図９（ｃ）乃至（ｅ）及び図１０（ａ）乃至（ｄ）に示すように、折り畳まれた複数枚の用紙３０が封筒４０内に封入される。
【００５２】
図１１及び図１２に示すように、用紙３０が封入された封筒４０は封緘手段７０に送り出され、用紙搬送ローラｅ及びｆを通過することでフラップＦが閉じられ、完成した封書４５として排出ストッカ４４に排出される。
【００５３】
本実施形態の封書作成装置によれば、封筒４０及び内容物となる用紙３０に印刷を施す共通の印刷部２はＡ４サイズの用紙を縦方向に搬送する場合、約５３０ｍＳ／枚の速度で用紙の片面に画像を形成する能力を備えている。作成すべき封書４５ごとに封筒４０と用紙３０を交互に印刷して排出し、印刷された封筒４０を専用の第１の搬送経路１０で搬送し、印刷された用紙３０を専用の第２の搬送経路２０で搬送し、両搬送経路１０，２０の終端が交差する位置に設けた封筒開封封入手段６０で用紙３０を封筒４０に封入するので、内容物と封筒４０の組み合わせ違いが生じにくい。従って、内容物が封筒毎に異なる１ｔｏ１ダイレクトメールの作成等に適しており、特に既成の封筒を用いた封書の作成において、封筒及び内容物の印刷から封入封緘までを全自動でミスなく確実に実行することができる。
【００５４】
また、印刷部２から交互に排出される封筒４０と用紙３０は、第１の搬送経路１０または第２の搬送経路２０に分けられ、それぞれが並行して折り処理と搬送処理を施し、封筒開封封入手段６０で用紙３０を封筒４０に封入するので、印刷部２から排出される封筒４０と用紙３０を無駄に滞留させる事無く封書が作成できる。従って、内容物が封筒毎に異なる１ｔｏ１ダイレクトメールの作成においても、封筒及び内容物の印刷から封入封緘までを高速で処理できる。
【００５５】
本実施形態では、封筒４０は給紙台Ｐ１から搬送路５に送り込まれ、インクジェット装置Ｃ、Ｋ、Ｍ、Ｙで封筒４０の片面に印刷され排出路６を通って第１の搬送経路１０に送られる。封筒４０に続き、定められた一定の間隔を空けて用紙３０が給紙台Ｐ２乃至Ｐ４の何れかから搬送路５に送り込まれ、インクジェット装置Ｃ、Ｋ、Ｍ、Ｙで用紙３０の片面に印刷され排出路６を通って第２の搬送経路２０に送られる。封筒開封封入手段６０で用紙３０を封筒４０に封入し、封緘手段７０に送り出され、完成した封書４５として排出ストッカ４４に排出される。
【００５６】
また、この実施形態では、封筒４０を印刷部２の給紙台Ｐ１にセットして印刷後に封入封緘部３に送り込んだが、既に印刷済みの封筒４０であれば、所定の順序で重ね、封筒ストッカ１２に設置して供給するようにしてもよい。また、封筒４０を印刷部２の給紙台Ｐ１にセットして印刷後に封入封緘部３に送り込む場合において、実施形態では一旦封筒４０を封筒ストッカ１２に排出してから、再度第２の搬送経路２０の経路１３に戻すようにしていたが、この場合には最初の経路１１を介さずに印刷部２から他方の経路１３に直接封筒４０を送り込む構成としてもよい。
【００５７】
前述のように、印刷部２は、Ａ４サイズの用紙を縦方向に搬送した場合に約５３０ｍＳ／枚の高速度で用紙に画像を形成する能力を備えているので、封筒４０に宛先情報と発信者情報を印刷し、内容物となる用紙３０の片面に請求書情報を印刷していく形態では、毎分５６通分の封筒４０及び用紙３０が封入封緘部３に送られる。
【００５８】
封入封緘部３は第１の搬送経路１０と第２の搬送経路２０を備える構造になっており、印刷部２から搬送された封筒４０及び用紙３０を無駄に滞留させる事無く封書４５に仕上げていく高速生産性を備えている。従って、前述のように印刷部２が封筒４０に宛先情報と発信者情報を印刷し、内容物となる用紙３０の片面に請求書情報を印刷していく形態では、封入封緘部３が印刷部２の生産性を下げること無く維持していくので、封入封緘部３は毎分５６通の封書４５を排出ストッカ４４に排出していく。この場合に１時間では３，３６０通の封書４５が排出ストッカ４４に排出される計算になる。
【００５９】
月末に取引先へ発行する請求書としては、前述のように１枚の片面に印刷した内容物となる用紙３０を封筒４０へ封入する事例が多いが、別の事例とし３枚の片面に印刷した内容物となる用紙３０を封筒４０へ封入する場面も想定できる。取引品目が多く１枚の用紙３０に請求項目が記載しきれない時などは内容物となる用紙３０が３枚で構成される。印刷部２が封筒４０に宛先情報と発信者情報を印刷し、３枚の内容物となる用紙３０の片面に請求書情報を印刷していく形態では、毎分２８通分の封筒４０及び用紙３０が封入封緘部３に送られ、封入封緘部３は毎分２８通の封書４５を排出ストッカ４４に排出していく。この場合に１時間では１，６８０通の封書４５が排出ストッカ４４に排出される計算になる。
【００６０】
販促ダイレクトメールの作成では、２枚の両面へ印刷した内容物となる用紙３０を封筒４０に封入する場合が多い。挨拶文と会社情報を両面印刷した用紙３０と、新製品の詳細情報と販売価格情報を両面印刷した用紙３０の２枚で構成される。
【００６１】
印刷部２で封筒４０の両面に宛先情報と発信者情報、新製品の発売情報を印刷し、２枚の内容物となる用紙３０の両面に印刷していく形態では、毎分１８通分の封筒４０及び用紙３０が封入封緘部３に送られ、封入封緘部３は毎分１８通の封書４５を排出ストッカ４４に排出していく。この場合に１時間では１，０８０通の封書４５が排出ストッカ４４に排出される計算になる。
【００６２】
また、この実施形態の封入封緘部３では、封筒４０を搬送する第１の搬送経路１０が、筐体９内の中央上部で斜め下方に向けて配置された経路１３を有しており、その下方において、用紙３０を搬送する第２の搬送経路２０が、第１の経路１３に略平行となるように斜め下方に向いた経路２１と、これと略直交して斜め上方に向いた経路２６とで構成されており、両搬送経路１０，２０の終端が封筒反転手段５０及び封筒開封封入手段６０で合流している。
【００６３】
そして、さらに封筒開封封入手段６０から封緘部７０に至る経路４２は第１の経路１３の上方で、これと略平行となるように斜め上方に向けて配置されている。このように、多くの搬送経路が筺体９内の空間を有効に利用して最小限の隙間で効率的に構築されており、封筒４０と用紙３０を別系統として封入間違いを起きにくくした精妙な構造であるにも関わらず、全体として非常にコンパクトな構成となっている。また、以上のような搬送経路の構成の帰結として、作成された封書４５は、取り出しやすい筺体９の上面に斜めに設けられた排出ストッカ４４に整列して押し出されてくるので、まとめて取り出す際の取り扱いが便利である。
【００６４】
２．第２実施形態（図１３〜図１４）
図１３〜図１４に示す第２実施形態の封書作成装置１’は、作成すべき封書ごとに処理を行なう。すなわち、折り畳んで封筒となる用紙４０と、内容物となる０枚以上の用紙３０に対し、共通の印刷部２を用いて適当な順序で必要な印刷を施す。そして、それぞれ別系統の搬送経路で搬送しながら、封筒となるべき用紙４０については、封筒の形態となるように用紙４０を折るとともに、内容物が存在する場合には、これに必要な折りを施す。そして、最終的に両者を封入封緘手段で合流させ、内容物を封筒４０に封入・封緘して装置の上部に完成した封書として揃えて排出する。
【００６５】
本実施形態では、印刷部２と、封入封緘部３’に設けられて内容物としての用紙３０を搬送する第２の搬送経路２０と、内容物となる用紙３０を折り畳む折り手段（折りローラＡ〜Ｃ及び用紙搬送ローラＤ等）の構成は、第１実施形態におけるものと同一である。そこで、第１実施形態と同一乃至同等の構成部分については、図中に第１実施形態と同一の符号を付すとともに、第１実施形態の記載を援用して説明の繰返しを可及的に避け、必要な説明においては第１実施形態と同一の符号を用いるものとする。以下、封筒となる用紙４０を搬送する第１の搬送経路１０’と、封筒となる用紙４０の折り手段と、さらに封筒となる用紙４０に内容物となる用紙３０を整合させて封書を作成する封入封緘手段の構成と、全体の作用について、図１２乃至１４を参照して説明する。
【００６６】
封書作成装置１’では、印刷部２の第１の排出路６が水平に延設されて、隣にある封入封緘部３’の筐体９内に導入されている。筐体９内では、この排出路６から、第２の搬送経路２０が斜め下方に分岐しており、そのさらに下流は、第１の搬送経路１０’の一方の経路１１’となって斜め下方に延設されている。この第１の搬送経路１０’の一方の経路１１’は、第２の搬送経路２０の一方の経路２１と略平行に配置されている。第１の搬送経路１０’の一方の経路１１’は封筒となる用紙４０を折り手段に搬送する案内路であり、前述したように、第２の搬送経路２０の一方の経路２１は内容物となる用紙３０を折り手段に搬送する案内路であり、第１及び第２の搬送経路１０’，２０の切り替えは、第２の搬送経路２０の分岐点に設けられた図示しない切り替えフラップで行なう。
【００６７】
第１の搬送経路１０’の一方の経路１１’の終端には、封筒となる用紙４０を折って封筒の形態を作成するための折り手段が設けられている。この折り手段には、回動自在の主折りローラＡ’と、これに接して回動する用紙搬送ローラＤ’及び第１折りローラＢ’が設けられている。
【００６８】
第１の搬送経路１０’の折り手段の主折りローラＡ’と第１折りローラＢ’の間からは、第１の搬送経路１０’の他方の経路１３’が、上方に凸の形状に湾曲して水平方向に延設されており、その終端には封入封緘手段の一部を構成する封入手段が設けられている。
【００６９】
封入手段には、回動自在の主折りローラＡ”と、これに接して回動する用紙搬送ローラＤ”及び第１及び第２折りローラＢ”，Ｃ”が設けられている。また、主折りローラＡ”の下方には、主折りローラＡ”と用紙搬送ローラＤ”から出た用紙３０を下方に導く待機経路４６が設けられている。
【００７０】
封筒となる用紙４０は、必要に応じて前記折り手段において、封緘前段の折りが実行され、内容物を受け入れるために封入手段である主折りローラＡ”等に送られる。この一部が折られただけの未完成の封筒は、内容物となる用紙３０との整合及びその後の折りによる成形を受けるために経路４６で待機する。この封緘前段も折りは、四つ折封筒の場合には必要であるが、三つ折封筒の場合には不必要なので折らずに折り手段を通過することになる。また、未完成の封筒が、内容物となる用紙３０との整合等のために経路４６で待機するものとしたが、これは封筒が先に合流位置に来た場合であり、内容物か封筒か、何れか合流位置に先に到着した方が待機することになる。
【００７１】
また、前記第２の搬送経路２０の他方の経路２６の終端が、前記封入手段の主折りローラＡ”と第１折りローラＢ”の間に接続されている。第２の搬送経路２０において、折り手段（主折りローラＡ等）で適宜に折り畳まれた内容物となる用紙３０は、他方の経路２６を経て封入手段の主折りローラＡ”等に送られ、待機経路４６で待機している未完成の封筒４０’に整合される。未完成の封筒４０’と内容物となる用紙３０は、主折りローラＡ”と第１及び第２ローラＢ”，Ｃ”による折り成形によって、封筒４０内に用紙３０が封入された状態に成形される。
【００７２】
封入手段の主折りローラＡ”と第２折りローラＣ”の間から、斜め上前方に向けて傾斜して経路４７が配置されている。この経路４７は、第１の搬送経路１０’の一方の経路１１’や、第２の搬送経路２０の一方の経路２１と略平行となっている。この経路４７の中途には、封入封緘手段の一部を構成する封緘手段としての封緘ローラ８０が設けられている。この封緘ローラ８０は、封入手段で内容物が封入された封筒４０の周囲を貼り合わせ、封筒４０の封緘を行なう。封緘ローラ８０で封緘された封筒４０は、筐体９の上面に設けられた排出トレイ４８に排出され、順次積み上げられて取り出しを待つ。
【００７３】
次に、以上説明した本実施形態の封書作成装置１’において、封筒となる用紙４０に宛て名等を印刷し、さらに複数枚の用紙３０に必要な印刷を施して折り畳み、用紙３０を折り畳んで成形した封筒となる用紙４０に内容物となる用紙３０を封入封緘する全体の手順について通して説明する。
【００７４】
図１３に示すように、印刷部２では、折りによって封筒を成形するための用紙４０が、給紙台Ｐ１から送り出される。本実施形態では、封筒となる用紙４０は印刷部２の給紙台Ｐ１からＰ４のいずれにあっても良い。この用紙４０は、ループ状の搬送路５を２周する間にインクジェット装置Ｃ、Ｋ、Ｍ、Ｙで両面に印刷される。両面印刷でなく片面印刷を選択することもできる。一般に封書の外面となる面には宛て名等が印刷され、封書の内面となる面には、封入されない内容物に替え、又は封入される内容物の印刷内容とともに、宛先に送られるべき何らかの情報が必要に応じて印刷される。封書の内面に印刷された情報は、受取人が封書を切り開くことによって読むことができる。
【００７５】
封筒となる用紙４０は、図示しない切り替えフラップの切り替えにより、第１の搬送経路１０’の一方の経路１１’から折り手段に送られる。用紙４０は、主折りローラＡ’と用紙搬送ローラＤ‘によって先方に送られ、図示しない突き当て部材に突き当って撓み、撓んだ部分から主折りローラＡ’と第１折りローラＢ’の間に入り、さらに挟持搬送されて通紙方向先端部の一部に折り目がつけられる。図１３中に装置外に引き出して装置と重ねないように図示したが、一部が折られた未完成の封筒４０’は、封入手段の主折りローラＡ”と用紙搬送ローラＤ”に搬送されて待機経路４６に送られ、下端の折り部を第２の搬送経路２０側に向けた姿勢で同位置において待機する。
【００７６】
図１４に示すように、封筒となる用紙４０に続き、定められた一定の間隔を空けて内容物として必要な用紙３０が給紙台Ｐ２乃至Ｐ４の何れかからループ状の搬送路５に送り込まれ、この搬送路を２周する間にインクジェット装置Ｃ、Ｋ、Ｍ、Ｙで用紙３０の両面が印刷される。両面印刷でなく片面印刷を選択することもできる。
【００７７】
内容物となる用紙３０は、図示しない切り替えフラップの切り替えにより、第２の搬送経路２０の一方の経路２１に送られる。用紙３０は必要枚数が溜まるまで第２の搬経路２０の一方の経路２１にある整合部２３に貯留され、必要枚数が揃ったところで整合部２３が開いて折り手段（主折りローラＡ等）に送り込まれる。折り手段で行なわれる複数回の折りにより、所望の状態に折り畳まれた用紙３０は、第２の搬経路２０の他方の経路２６を経て封入手段（主折りローラＡ”等）に送り込まれる。
【００７８】
本実施形態では、内容物となる用紙３０は内三つ折りとなっている。図１４中に装置外に引き出して装置と重ねないように図示したが、内三つ折りの用紙３０は、未完成の封筒４０’の折り部の上方に当接した状態となる位置まで搬送される。なお、この実施形態では、先に未完成の封筒４０’を封入手段に送り、その後に内容物となる用紙３０を折って封入手段に送ったが、逆の順序でもよい。
【００７９】
図１４に示すように、封入手段の主折りローラＡ”と第１及び第２折りローラＢ”，Ｃ”により、封筒となる用紙４０を外側にして内容物となる用紙３０を内側に包み込むように折り曲げる操作を行い、封筒となる用紙４０の内部に内容物となる用紙３０を包み込んでいく。
【００８０】
内容物が封入された封筒の用紙４０は、筐体９の上面に向けて斜め上方に向けて傾斜した経路４７に入り、封緘ローラ８０を通過することによって周囲が貼り合わされ、封筒４０の封緘が行なわれる。なお、封筒となる用紙４０の貼り合わせ面に予め感圧接着剤を塗布しておくことにより、上述した封緘ローラ８０による加圧で封緘を行なうことができる。但し、従来公知のその他の手段や通常の接着剤を用いて封緘を行なうこととしてもよい。
【００８１】
そして、封入・封緘が完了して完成した封書は、筐体９の上面に設けられた排出トレイ４８に排出され、順次積み上げられて取り出しを待つ。
【００８２】
本実施形態の封書作成装置１’によれば、封筒となる用紙４０及び内容物となる用紙３０に印刷を施す共通の印刷部２は、Ａ４サイズの用紙を縦方向に搬送する場合、約５３０ｍＳ／枚の速度で用紙の片面に画像を形成する能力を備えている。作成すべき封書ごとに封筒となる用紙４０と内容物となる用紙３０を交互に印刷して排出し、封筒となる用紙４０を専用の第１の搬送経路１０’で搬送しながら折り曲げて成形し、内容物となる用紙３０を専用の第２の搬送経路２０で搬送しながら折り曲げ、両搬送経路の終端が交差する位置に設けた封入手段において、内容物となる用紙３０を封筒となる用紙４０に包み込みながら折り曲げて封書を完成する。
【００８３】
従って、一般的な枚葉状の用紙を利用して封筒と内容物を同一工程で作成し、封入封緘までを全自動でミスなく確実に実行して封書を作成するので、作業が効率的で経済性に優れるとともに、内容物と封筒の組み合わせ違いが生じにくいために内容物が封筒毎に異なる１ｔｏ１ダイレクトメールの作成等に適している。
【００８４】
また、一部を折っただけで封筒としては完成していない状態の用紙４０に内容物となる用紙３０を整合させ、さらに両用紙を一体として折りを加えて封書を作成していくので、完成した封書の開口から内容物を挿入する場合に比べて挿入ミスが少ない。
【００８５】
また、印刷部２から交互に排出される封筒となる用紙４０及び内容物となる用紙３０は、第１の搬送経路１０′または第２の搬送経路２０に分けられ、それぞれが並行して折り処理と搬送処理を施して、封筒となる用紙４０内に内容物となる用紙３０が封入された状態に成形されるので、印刷部２から排出される封筒となる用紙４０と内容物となる用紙３０を無駄に滞留させる事無く封書が作成できる。従って、内容物が封筒毎に異なる１ｔｏ１ダイレクトメールの作成においても、封筒及び内容物の印刷から封入封緘までを高速で処理できる。
【００８６】
本実施形態では、封筒となる用紙４０は給紙台Ｐ１から搬送路５に送り込まれ、インクジェット装置Ｃ、Ｋ、Ｍ、Ｙで封筒４０の片面に印刷され排出路６を通って第１の搬送経路１０に送られる。封筒となる用紙４０に続き、定められた一定の間隔を空けて内容物となる用紙３０が給紙台Ｐ２乃至Ｐ４の何れかから搬送路５に送り込まれ、インクジェット装置Ｃ、Ｋ、Ｍ、Ｙで内容物となる用紙３０の片面または両面に印刷され排出路６を通って第２の搬送経路２０に送られる。封筒となる用紙４０内に内容物となる用紙３０が封入されて、封緘ローラ８０を通過した後、完成した封書として排出トレイ４８に排出される。
【００８７】
前述のように印刷部２は、Ａ４サイズの用紙を縦方向に搬送した場合に約５３０ｍＳ／枚の高速度で用紙に画像を形成する能力を備えているので、封筒となる用紙４０に宛先情報と発信者情報を印刷し内容物となる用紙３０の片面に請求書情報を印刷していく形態では、毎分５６通分の封筒４０及び用紙３０が封入封緘部３′に送られる。
【００８８】
封入封緘部３′は第１の搬送経路１０’と第２の搬送経路２０を備える構造になっており、印刷部２から搬送された各用紙を無駄に滞留させる事無く封書に仕上げていく高速生産性を備えている。従って、前述のように印刷部２が封筒となる用紙４０に宛先情報と発信者情報を印刷し、内容物となる用紙３０の片面に請求書情報を印刷していく形態では、封入封緘部３′が印刷部２の生産性を下げること無く維持していくので、封入封緘部３′が毎分５６通の封書を排出トレイ４８に排出していく。この場合に１時間では３，３６０通の封書が排出トレイ４８に排出される計算になる。
【００８９】
月末に取引先へ発行する請求書としては、前述のように１枚の片面に印刷した内容物となる用紙３０を封筒となる用紙４０へ封入する事例が多いが、別の事例とし３枚の片面に印刷した内容物となる用紙３０を封筒となる用紙４０へ封入する場面も想定できる。取引品目が多く１枚の内容物となる用紙３０に請求項目が記載しきれない時などは内容物となる用紙３０が３枚で構成される。印刷部２が封筒となる用紙４０に宛先情報と発信者情報を印刷し、３枚の内容物となる用紙３０の片面に請求書情報を印刷していく形態では、毎分２８通分の封筒となる用紙４０及び内容物となる用紙３０が封入封緘部３′に送られ、封入封緘部３′は毎分２８通の封書を排出トレイ４８に排出していく。この場合に１時間では１，６８０通の封書が排出トレイ４８に排出される計算になる。
【００９０】
販促ダイレクトメールの作成では、２枚の両面へ印刷したに内容物となる用紙３０を封筒となる用紙４０に封入する場合が多い。挨拶文と会社情報を両面印刷した用紙３０と、新製品の詳細情報と販売価格情報を両面印刷した用紙３０の２枚で構成される。
【００９１】
印刷部２で封筒となる用紙４０の両面に宛先情報と発信者情報、新製品の発売情報を印刷し、２枚の内容物となる用紙３０の両面に印刷していく形態では、毎分１８通分の封筒となる用紙４０及び内容物となる用紙３０が封入封緘部３′に送られ、封入封緘部３′は毎分１８通の封書を排出トレイ４８に排出していく。この場合に１時間では１，０８０通の封書が排出トレイ４８に排出される計算になる。
【００９２】
また、この実施形態の封入封緘部３’では、封筒となる用紙４０を搬送する第１の搬送経路１０’の一方の経路１１’と、内容物となる用紙３０を搬送する第２の搬送経路２０の一方の経路２１と、封入手段である主折りローラＡ”と封緘ローラ８０が設けられた経路４７とが、いずれも互いに略平行となるように斜めに配置されている。さらに第１の搬送経路１０’の他方の経路１３’の終端と、第２の搬送経路２０の他方の経路２６の終端とが、それぞれ封入手段である主折りローラＡ”に接続されている。そして、さらに封緘ローラ８０が設けられた最後の経路４７は筐体９の上面に到達している。このように、多くの搬送経路が筺体９内の空間を有効に利用して最小限の隙間で効率的に構築されており、封筒となる用紙４０及び内容物となる用紙３０を別系統で搬送して封入間違いを起きにくくした精妙な構造であるにも関わらず、全体として非常にコンパクトな構成となっている。
【００９３】
また、以上のような搬送経路の構成の帰結として、作成された封書は、取り出しやすい筺体９の上面に斜めに設けられた排出トレイ４８に整列して押し出されてくるので、まとめて取り出す際の取り扱いが便利である。    
【００９４】
各実施形態では、内容物として１枚又は複数枚の用紙３０を折って内容物として封筒となる用紙４０に封入する場合を主に説明したが、内面に必要な内容が印刷された封筒となる用紙４０のみで発送する所謂セルフメーラーの場合には、内容物となる用紙３０の印刷、封入は必要ない。
【００９５】
また、内容物がある場合でも、内容物となる用紙は必ずしも折る必要はなく、封筒の大きさとの関係により、折らずに元のサイズのままで封筒に封入することとしてもよい。このような場合には、封書作成装置１，１’の封入封緘部３，３’には、内容物となる用紙３０の折り部（折りローラ等）は必要ない。
【００９６】
また、各実施形態では、封筒及び内容物となる用紙として枚葉状の用紙を使用したが、例えばロール状の用紙を使用し、使用の都度、必要な長さに切断して供給するようにしてもよい。
【符号の説明】
【００９７】
１，１’…封書作成装置
２…印刷部
３，３’…封入封緘部
１０，１０’…第１の搬送経路
１１，１１’…第１の搬送経路の一方の経路
１３，１３’…第１の搬送経路の他方の経路
２０…第２の搬送経路
２１…第２の搬送経路の一方の経路
２６…第２の搬送経路の他方の経路
２７…封筒反転手段としての経路
２８…封筒反転手段としての経路
３０…用紙（内容物となる用紙）
４０…封筒（封筒となる用紙）
５０…封筒反転手段
６０…封入封緘手段の一部である封筒開封封入手段
７０…封入封緘手段の一部である封緘手段
８０…封入封緘手段の一部である封緘手段としての封緘ローラ
１００…封書自動作成システム
１１０…ＰＣ（原稿データ作成部）
１２０…サーバ（データ保存部）
１３０…宛先情報
１４０…本文情報
１５０…封筒原稿データ
１６０…本文原稿データ
Ａ，Ａ’…折り手段としての主折りローラ
Ｂ．Ｂ’…折り手段としての第１折りローラ
Ｃ…折り手段としての第２折りローラ
Ｄ，Ｄ’…折り手段としての用紙搬送ローラ
Ａ”…封入封緘手段の一部を構成する封入手段としての主折りローラ
Ｂ”…封入封緘手段の一部を構成する封入手段としての第１折りローラ
Ｃ”…封入封緘手段の一部を構成する封入手段としての第２折りローラ
Ｄ”…封入封緘手段の一部を構成する封入手段としての用紙搬送ローラ
ａ…封筒反転手段としての用紙搬送ローラ
ｂ…封筒反転手段としての用紙搬送ローラ
ｇ…封筒反転手段としての用紙搬送ローラ
【図１】
2013209175.tif 000003
【図２】
2013209175.tif 000004
【図３】
2013209175.tif 000005
【図４】
2013209175.tif 000006
【図５】
2013209175.tif 000007
【図６】
2013209175.tif 000008
【図７】
2013209175.tif 000009
【図８】
2013209175.tif 000010
【図９】
2013209175.tif 000011
【図１０】
2013209175.tif 000012
【図１１】
2013209175.tif 000013
【図１２】
2013209175.tif 000014
【図１３】
2013209175.tif 000015
【図１４】
2013209175.tif 000016